(57)【要約】【課題】画像表示の周辺条件に基づき出力画像を補正することが可能な出力画像補正方法を提供すること。【解決手段】出力画像補正方法によれば、表示部により基準画像を表示し、前記表示部により表示された基準画像及び前記表示部の周辺画像を含む撮影データを読み取り、前記撮影データから撮影基準画像及び撮影周辺画像を検出し、前記基準画像、前記撮影基準画像、及び前記撮影周辺画像に基づき、前記表示部により出力される出力画像を補正する。【選択図】      図７
2010152173.tif 000002
【特許請求の範囲】
【請求項１】
画像を表示する表示手段と、
前記表示手段による基準画像の表示を制御する基準画像表示制御手段と、
前記表示手段により表示された基準画像及び前記表示手段の周辺画像を含む撮影データを読み取る読取手段と、
前記撮影データから撮影基準画像及び撮影周辺画像を検出し、前記基準画像、前記撮影基準画像、及び前記撮影周辺画像に基づき、前記表示手段により出力される出力画像を補正する補正手段と、
を備えたことを特徴とする画像表示装置。
【請求項２】
前記基準画像表示制御手段は、前記基準画像として白色基準画像の表示を制御することを特徴とする請求項１に記載の画像表示装置。
【請求項３】
前記補正手段は、前記基準画像の各色成分、前記撮影基準画像の各色成分、及び前記撮影周辺画像の各色成分に基づき、前記表示手段により出力される出力画像の各色成分を補正することを特徴とする請求項１に記載の画像表示装置。
【請求項４】
前記補正手段は、前記基準画像と前記撮影基準画像との差分を算出し、この差分と前記撮影周辺画像とに基づき前記表示手段により出力される出力画像を補正することを特徴とする請求項１に記載の画像表示装置。
【請求項５】
前記補正手段は、前記差分と前記撮影周辺画像とに基づき周辺色を検出し、前記周辺色に基づき前記表示手段により出力される出力画像を補正することを特徴とする請求項４に記載の画像表示装置。
【請求項６】
前記補正手段は、基準画像として指定された位置から前記撮像基準画像を検出し、周辺画像として指定された位置から前記撮影周辺画像を検出することを特徴とする請求項１に記載の画像表示装置。
【請求項７】
画像補正モードを実行する画像補正モード実行手段を備え、
前記画像補正モードの実行に基づき、前記基準画像表示制御手段は基準画像の表示を制御し、前記読取手段は前記撮影データを読み取り、前記補正手段は出力画像を補正することを特徴とする請求項１に記載の画像表示装置。
【請求項８】
表示部により基準画像を表示し、
前記表示部により表示された基準画像及び前記表示部の周辺画像を含む撮影データを読み取り、
前記撮影データから撮影基準画像及び撮影周辺画像を検出し、前記基準画像、前記撮影基準画像、及び前記撮影周辺画像に基づき、前記表示部により出力される出力画像を補正する、
ことを特徴とする出力画像補正方法。
【発明の詳細な説明】
【技術分野】
【０００１】
本発明は、出力画像を補正することが可能な画像表示装置及び出力画像補正方法に関する。
【背景技術】
【０００２】
近年、ハイビジョン放送の本格化に伴い、ＨＤ（High Definition）規格対応のＴＶが一般家庭に普及してきており、視聴者はよりよい条件での番組視聴を望んでいる。
【０００３】
例えば、部屋の明るさ等によって、ＴＶ画面表示の見え方は変わる。そこで、ビデオカメラで周囲の環境画像を撮像し、撮像信号から周囲の明るさ及び色温度を検出し、画像表示を制御する技術が提案されている（特許文献１参照）。
【０００４】
また、カメラで撮影した画像データに基づいて周囲の色温度を計算し、色温度と映像ソースとに基づいて映像信号を生成し映像を表示する技術が提案されている（特許文献２参照）。
【特許文献１】特開２００１−５４３７
【特許文献２】特開２００７−１７４２２９
【発明の開示】
【発明が解決しようとする課題】
【０００５】
上記特許文献１、２に開示された技術によれば、周囲の色温度等に基づき画像表示を制御することができる。しかし、人間は、実際の画像表示の色をそのまま感じ取る訳ではなく、人間には目の錯覚という現象がある。例えば、画像表示の周辺の色（壁の色など）が画像表示の見え方に影響を及ぼす。上記特許文献１、２には画像表示の周辺の色の影響を考慮し、画像表示を制御する技術は開示されていない。
【０００６】
本発明の目的は、画像表示の周辺条件に基づき出力画像を補正することが可能な画像表示装置及び出力画像補正方法を提供することにある。
【課題を解決するための手段】
【０００７】
この発明の一実施形態に係る画像表示装置は、画像を表示する表示手段と、前記表示手段による基準画像の表示を制御する基準画像表示制御手段と、前記表示手段により表示された基準画像及び前記表示手段の周辺画像を含む撮影データを読み取る読取手段と、前記撮影データから撮影基準画像及び撮影周辺画像を検出し、前記基準画像、前記撮影基準画像、及び前記撮影周辺画像に基づき、前記表示手段により出力される出力画像を補正する補正手段と、を備える。
【０００８】
この発明の一実施形態に係る画像表示方法は、表示部により基準画像を表示し、前記表示部により表示された基準画像及び前記表示部の周辺画像を含む撮影データを読み取り、前記撮影データから撮影基準画像及び撮影周辺画像を検出し、前記基準画像、前記撮影基準画像、及び前記撮影周辺画像に基づき、前記表示部により出力される出力画像を補正する。
【発明の効果】
【０００９】
本発明によれば、画像表示の周辺条件に基づき出力画像を補正することが可能な画像表示装置及び出力画像補正方法を提供できる。
【発明を実施するための最良の形態】
【００１０】
以下、図面を参照し、本発明の実施形態について説明する。
【００１１】
図６は、本発明の一実施形態に係るデジタルテレビジョン放送受信装置（画像表示装置）の概略構成を示す図である。
【００１２】
図６は、上記したデジタルテレビジョン放送受信装置１００の主要な信号処理系を示している。すなわち、ＢＳ／ＣＳデジタル放送受信用のアンテナ４７で受信した衛星デジタルテレビジョン放送信号は、入力端子４８を介して衛星デジタル放送用のチューナ４９に供給されることにより、所望のチャンネルの放送信号が選局される。
【００１３】
そして、このチューナ４９で選局された放送信号は、ＰＳＫ（phase shift keying）復調モジュール５０に供給されて、デジタルの映像信号及び音声信号に復調された後、信号処理モジュール５１に出力される。
【００１４】
また、地上波放送受信用のアンテナ５２で受信した地上デジタルテレビジョン放送信号は、入力端子５３を介して地上デジタル放送用のチューナ５４に供給されることにより、所望のチャンネルの放送信号が選局される。
【００１５】
そして、このチューナ５４で選局された放送信号は、ＯＦＤＭ（orthogonal frequency division multiplexing）復調モジュール５５に供給されて、デジタルの映像信号及び音声信号に復調された後、上記信号処理モジュール５１に出力される。
【００１６】
また、上記地上波放送受信用のアンテナ５２で受信した地上アナログテレビジョン放送信号は、入力端子５３を介して地上アナログ放送用のチューナ５６に供給されることにより、所望のチャンネルの放送信号が選局される。そして、このチューナ５６で選局された放送信号は、アナログ復調モジュール５７に供給されてアナログの映像信号及び音声信号に復調された後、上記信号処理モジュール５１に出力される。
【００１７】
ここで、上記信号処理モジュール５１は、ＰＳＫ復調モジュール５０及びＯＦＤＭ復調モジュール５５からそれぞれ供給されたデジタルの映像信号及び音声信号に対して、選択的に所定のデジタル信号処理を施し、グラフィック処理モジュール５８及び音声処理モジュール５９に出力している。
【００１８】
また、上記信号処理モジュール５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１００の外部から入力可能とするものである。
【００１９】
そして、この信号処理モジュール５１は、上記アナログ復調モジュール５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理モジュール５８及び音声処理モジュール５９に出力している。
【００２０】
このうち、グラフィック処理モジュール５８は、信号処理モジュール５１から供給されるデジタルの映像信号に、ＯＳＤ（on screen display）信号生成モジュール６１で生成されるＯＳＤ信号を重畳して出力する機能を有する。このグラフィック処理モジュール５８は、信号処理モジュール５１の出力映像信号と、ＯＳＤ信号生成モジュール６１の出力ＯＳＤ信号とを選択的に出力すること、また、両出力をそれぞれ画面の半分を構成するように組み合わせて出力することができる。
【００２１】
そして、グラフィック処理モジュール５８から出力されたデジタルの映像信号は、映像処理モジュール６２に供給される。映像処理モジュール６２により処理された映像信号は、映像表示器１４に供給され、また出力端子６３にも供給される。映像表示器１４は、映像信号に基づく映像を表示し、出力端子６３に対して外部機器が接続されると、出力端子６３に供給された映像信号は、外部機器へ入力される。
【００２２】
また、上記音声処理モジュール５９は、入力されたデジタルの音声信号を、前記スピーカ１５で再生可能なフォーマットのアナログ音声信号に変換した後、スピーカ１５に出力して音声再生させるとともに、出力端子６４を介して外部に導出させる。
【００２３】
ここで、このデジタルテレビジョン受像機１００は、上記した各種の受信動作を含むその全ての動作を制御モジュール６５によって統括的に制御されている。この制御モジュール６５は、ＣＰＵ（central processing unit）等を内蔵しており、前記操作モジュール１６からの操作情報、または、前記リモートコントローラ１７から送出され受光モジュール１８を介して受信した操作情報を受けて、その操作内容が反映されるように各モジュールをそれぞれ制御している。
【００２４】
この場合、制御モジュール６５は、主として、そのＣＰＵが実行する制御プログラムを格納したＲＯＭ（read only memory）６６と、該ＣＰＵに作業エリアを提供するＲＡＭ（random access memory）６７と、各種の設定情報及び制御情報等が格納される不揮発性メモリ６８とを利用している。
【００２５】
また、この制御モジュール６５は、カードＩ／Ｆ（interface）６９を介して、第１のメモリカード１９が装着可能なカードホルダ７０に接続されている。これによって、制御モジュール６５は、カードホルダ７０に装着された第１のメモリカード１９と、カードＩ／Ｆ６９を介して情報伝送を行なうことができる。
【００２６】
また、この制御モジュール６５は、カードＩ／Ｆ（interface）７１を介して、第２のメモリカード２０が装着可能なカードホルダ７２に接続されている。これによって、制御モジュール６５は、カードホルダ７２に装着された第２のメモリカード２０と、カードＩ／Ｆ７１を介して情報伝送を行なうことができる。
【００２７】
また、上記制御モジュール６５は、通信Ｉ／Ｆ７３を介してＬＡＮ端子２１と接続されている。これにより、制御モジュール６５は、ＬＡＮ端子２１に接続されたＬＡＮ対応機器と、通信Ｉ／Ｆ７３を介して情報伝送を行なうことができる。この場合、制御モジュール６５は、ＤＨＣＰ（dynamic host configuration protocol）サーバ機能を有し、ＬＡＮ端子２１に接続されたＬＡＮ対応機器にＩＰ（internet protocol）アドレスを割り当てて制御している。
【００２８】
さらに、上記制御モジュール６５は、第１のＨＤＭＩ Ｉ／Ｆ７４を介して第１のＨＤＭＩ端子２２と接続されている。これにより、制御モジュール６５は、第１のＨＤＭＩ端子２２に接続されたＨＤＭＩ対応機器と、第１のＨＤＭＩ Ｉ／Ｆ７４を介して情報伝送を行なうことができる。また、上記制御モジュール６５は、第２のＨＤＭＩ Ｉ／Ｆ７５を介して第２のＨＤＭＩ端子２３と接続されている。これにより、制御モジュール６５は、第２のＨＤＭＩ端子２３に接続されたＨＤＭＩ対応機器と、第２のＨＤＭＩ Ｉ／Ｆ７５を介して情報伝送を行なうことができる。
【００２９】
そして、上記制御モジュール６５は、ＵＳＢ Ｉ／Ｆ７６を介して前記ＵＳＢ端子２４と接続されている。これにより、制御モジュール６５は、ＵＳＢ端子２４に接続されたＵＳＢ対応機器と、ＵＳＢ Ｉ／Ｆ７６を介して情報伝送を行なうことができる。
【００３０】
さらに、上記制御モジュール６５は、ｉ．ＬＩＮＫ Ｉ／Ｆ７７を介してｉ．ＬＩＮＫ端子２５と接続されている。これにより、制御モジュール６５は、ｉ．ＬＩＮＫ端子２５に接続されたｉ．ＬＩＮＫ対応機器と、ｉ．ＬＩＮＫ Ｉ／Ｆ７７を介して情報伝送を行なうことができる。
【００３１】
また、明るさ検出モジュール８０は、例えば映像表示器１４の映像表示面と同一面上に設けられ、デジタルテレビジョン放送受信装置１００が設置された場所の明るさを検出する。明るさ検出モジュール８０により検出された明るさ情報（周囲照度の値）は、制御モジュール６５へ通知され、後述する出力画像補正に利用される。
【００３２】
次に、図１〜図７を参照して、上記したデジタルテレビジョン放送受信装置による出力画像の補正について説明する。図１は、デジタルテレビジョン放送受信装置の設置の一例を示す図であり、図２は、デジタルテレビジョン放送受信装置で表示されるメニュー画面の一例を示す図であり、図３は、デジタルテレビジョン放送受信装置（映像表示器１４）及びその周辺の撮影画像の一例を示す図であり、図４は、出力画像補正に必要な基準画像を取得するためのユーザ入力操作の一例を示す図であり、図５は、出力画像補正に必要な周辺壁画像を取得するためのユーザ入力操作の一例を示す図であり、図７は、出力画像の補正処理の一例を示すフローチャートである。
【００３３】
出力画像を適切に補正するために、予め部屋の照明の状態及び外光の状態を設定することができる。例えば、ユーザは、操作モジュール１６またはリモートコントローラ１７を介して、メニュー画面の表示を指示する。この指示に対応して、制御モジュール６５は、ＯＳＤ信号生成モジュール６１に対してメニュー画面の表示を指示する。ＯＳＤ信号生成モジュール６１は、メニュー画面を表示するためのＯＳＤ信号を生成し出力する。これにより、映像表示器１４には、メニュー画面が表示される。例えば、メニュー画面には、環境設定の項目が含まれている。
【００３４】
ユーザが、操作モジュール１６またはリモートコントローラ１７を介して、環境設定の項目を選択すると、映像表示器１４には、部屋の照明状態設定項目（蛍光灯／白熱灯の選択項目など）及び外光の状態設定項目（外光あり／外交なしの選択項目など）が表示される。ユーザは、操作モジュール１６またはリモートコントローラ１７を介して、部屋の照明状態及び外光の状態を設定することができる。不揮発性メモリ６８は、設定された部屋の照明状態及び外光の状態を記憶する。
【００３５】
また、メニュー画面には、図２の点線で示すように多数の項目が含まれており、その多数の項目の中には視聴環境測定の項目が含まれており、出力画像を補正しようとするユーザは、操作モジュール１６またはリモートコントローラ１７を介して、メニュー画面の中から、視聴環境測定の項目を選択する（ＳＴ１、ＹＥＳ）。これに対応して、制御モジュール６５は、視聴環境測定モード（画像補正モード）を実行し（ＳＴ２）、画像補正に関する必要な基準画像の表示動作を制御したり、画像補正に必要な撮影データの読み取りを制御したり、画像補正に必要な補正データを演算したり、演算結果に基づく画像補正を制御したりする。
【００３６】
制御モジュール６５は、明るさ検出モジュール８０により検出された周囲照度の値、現在の時間、不揮発性メモリ６８に記憶された部屋の照明の状態および外光の状態に基づき、適切な基準画像（Rref,Gref,Bref）の表示を制御する。これに対応して、映像処理モジュール６２は基準画像を生成し、映像表示器１４は基準画像を表示する（ＳＴ３）。映像表示器１４は、例えば、白色信号に基づき白基準画像を表示する。或いは、カラーバーを基準画像としてもよい。なお、本実施形態では、予め部屋の照明の状態及び外光の状態を設定するケースについて説明したが、視聴環境測定モードを実行してから、部屋の照明の状態及び外光の状態を設定するようにしてもよい。
【００３７】
さらに、制御モジュール６５は、画面撮影の案内画面の表示を制御する。これに対応して、映像表示器１４は画面撮影の案内画面を表示する（ＳＴ４）。例えば、映像表示器１４には、「お手持ちのデジタルカメラ又は携帯電話等により現在表示されている画面（基準画像）を画面の周辺（周辺壁）を含めて撮影し、撮影データを入力してください」などの案内画面が表示される。
【００３８】
続いて、図１に示すように、ユーザは、デジタルスチルカメラ、デジタルビデオカメラ、又は携帯電話等の撮影機器２００で、基準画像が表示された画面（映像表示器１４）をこの画面の周辺（周辺壁）が含まれるように撮影し、撮影データをデジタルテレビジョン放送受信装置１００へ入力する（ＳＴ５、ＹＥＳ）。一般的に、撮影機器２００は、ホワイトバランス等を調整する画像補正機能を備えている。これにより、撮影機器２００により撮影された撮影データは、画像補正されたデータとなる。一定期間、撮影データが入力されなければ（ＳＴ５、ＮＯ）、再び、映像表示器１４には、案内画面が表示される（ＳＴ４）。なお、撮影時には、実際にテレビを視聴する際に視野に入る範囲と撮影画像の画角がほぼ同じであることが望ましい。図３は、撮影画像の一例を示す図である。
【００３９】
撮影機器２００が着脱可能なメモリカードに対して撮影データを記録するタイプのものであれば、カードホルダ７０又は７２を介して、メモリカードに記憶された撮影データをデジタルテレビジョン放送受信装置１００へ入力する。或いは、撮影機器２００がＵＳＢ端子を備えたタイプのものであれば、ＵＳＢ Ｉ／Ｆ７６を介して撮影機器２００に記憶された撮影データをデジタルテレビジョン放送受信装置１００へ入力する。或いは、撮影機器２００がｉ．ＬＩＮＫ端子を備えたタイプのものであれば、ｉ．ＬＩＮＫ Ｉ／Ｆ７７を介して撮影機器２００に記憶された撮影データをデジタルテレビジョン放送受信装置１００へ入力する。なお、撮影データの入力の手法はこれだけに限らず、デジタルテレビジョン放送受信装置１００と撮影機器２００の両方が、Bluetooth（登録商標）等の無線通信に対応していれば、無線通信により撮影機器２００に記憶された撮影データをデジタルテレビジョン放送受信装置１００へ入力するようにしてもよい。
【００４０】
撮影データが入力されると（ＳＴ５、ＹＥＳ）、制御モジュール６５は、撮影データの表示を制御する。これに対応して、映像処理モジュール６５は、撮影データに基づく映像を生成し、映像表示器１４は、生成された映像を表示する（ＳＴ６）。さらに、制御モジュール６５は、画面位置指定に関する案内画面の表示を制御し、これに対応して、映像表示器１４は画面位置指定に関する案内画面を表示する（ＳＴ７）。
【００４１】
例えば、図４に示すように、映像表示器１４には「テレビ画面の部分をポイントしてください」などの案内画面が表示される。或いは、映像表示器１４には「リモートコントローラの十字キーを利用し画面上のポインタを上下左右に移動させて画面位置を指定してください」などの案内画面が表示される。なお図４中の点線は、基準画像中に表示されていた案内等を示している。ユーザは、リモートコントローラ１７により、映像表示器１４に表示された映像内の画面位置（基準画像位置）を指定する。
【００４２】
画面位置が指定されると（ＳＴ８、ＹＥＳ）、制御モジュール６５は、指定位置を検出し、指定位置の映像データ（撮影基準画像（Rs,Gs,Bs））を取得する（ＳＴ９）。また、撮影画像に含まれるノイズの影響を受け難くするために、指定位置の映像データだけではなく、指定位置の映像データとこの指定位置の上下左右の複数の周辺位置の映像データとを平均化した平均化映像データを取得するようにしてもよい。例えば、指定位置の画素を中心とした７×７の画素マトリクスの映像データを平均化した平均化映像データを取得するようにしてもよい。なお、一定期間、位置指定がなければ（ＳＴ８、ＮＯ）、再び、映像表示器１４には、案内画面が表示される（ＳＴ７）。
【００４３】
続いて、制御モジュール６５は、周辺壁位置指定に関する案内画面の表示を制御し、これに対応して、映像表示器１４は周辺壁位置指定に関する案内画面を表示する（ＳＴ１０）。
【００４４】
例えば、図５に示すように、映像表示器１４には「周辺壁となる部分をポイントしてください」などの案内画面が表示される。或いは、映像表示器１４には「リモートコントローラの十字キーを利用し画面上のポインタを上下左右に移動させて周辺壁位置を指定してください」などの案内画面が表示される。なお図５中の点線は、基準画像中に表示されていた案内等を示している。ユーザは、リモートコントローラ１７により、映像表示器１４に表示された映像内の周辺壁位置を指定する。
【００４５】
周辺壁位置が指定されると（ＳＴ１１、ＹＥＳ）、制御モジュール６５は、指定位置を検出し、指定位置の映像データ（撮影周辺壁画像（Rw,Gw,Bw））を取得する（ＳＴ１２）。また、撮影画像に含まれるノイズの影響を受け難くするために、周辺壁位置の映像データだけではなく、周辺壁位置の映像データとこの周辺壁位置の上下左右の複数の周辺位置の映像データとを平均化した平均化映像データを取得するようにしてもよい。なお、一定期間、位置指定がなければ（ＳＴ１１、ＮＯ）、再び、映像表示器１４には、案内画面が表示される（ＳＴ１０）。
【００４６】
また、上記説明では、画面位置及び周辺壁位置をユーザが指定するケースについて説明したが、デジタルテレビジョン放送受信装置１００が、画像処理技術を利用し、画面位置及び周辺壁位置を自動検出するようにしてもよい。
【００４７】
続いて、制御モジュール６５及び映像処理モジュール６２は、基準画像（Rref,Gref,Bref）、撮影基準画像（Rs,Gs,Bs）、及び撮影周辺壁画像（Rw,Gw,Bw）に基づき、映像表示器１４により出力される出力画像を補正する。本来、基準画像（Rref,Gref,Bref）と撮影基準画像（Rs,Gs,Bs）は同じ画像のはずであるが、上記したように、撮影機器２００により撮影された撮影データは画像補正されたデータである。このため、基準画像（Rref,Gref,Bref）と撮影基準画像（Rs,Gs,Bs）には差分が生じる。この差分を利用し、映像表示器１４により出力される出力画像を補正する。以下、出力画像の補正の詳細について説明する。
【００４８】
例えば、制御モジュール６５は、基準画像（Rref,Gref,Bref）と撮影基準画像（Rs,Gs,Bs）の差分（Rref-Rs,Gref-Gs,Bref-Bs →ΔR,ΔG,ΔB）を演算する（ＳＴ１３）。さらに、制御モジュール６５は、撮影周辺壁画像（Rw,Gw,Bw）と差分（ΔR,ΔG,ΔB）とを加算（Rw+ΔR,Gw+ΔG,Bw+ΔB →Rws,Gws,Bws）する（ＳＴ１４）。或いは、制御モジュール６５は、撮影周辺壁画像（Rw,Gw,Bw）から差分（ΔR,ΔG,ΔB）を減算（Rw-ΔR,Gw-ΔG,Bw-ΔB →Rws,Gws,Bws）する（ＳＴ１４）。これにより、周辺壁の色データ（Rws,Gws,Bws）を取得し、制御モジュール６５は、周辺壁の色データ（Rws,Gws,Bws）に基づき出力画像の補正データを生成し（ＳＴ１５）、映像処理モジュール６２は、補正データに基づき出力画像のコントラスト・明るさ・色振幅・色相・色温度・ガンマ値を補正する（ＳＴ１６）。これにより、デジタルテレビジョン放送受信装置１００は、周辺壁の色による錯覚の影響を緩和（低減）した出力画像を提供することが可能となる。
【００４９】
人間の視覚は、隣り合う色によって感じる明るさ・色が変化する。デジタルテレビジョン放送受信装置１００の映像を見ている時、視野には画面（映像）のみならず、その周囲の状況も認識していなくとも視野に入っている。特に壁の色が視野に入っている。このような周囲の状況は、デジタルテレビジョン放送受信装置１００の設置場所によって異なる。デジタルテレビジョン放送受信装置１００は、このような設置場所の違いによる見え方の違いを吸収し、設置場所に応じた適切な画像を表示することができる。
【００５０】
デジタルテレビジョン放送受信装置１００の映像と同時に視野に入ってくる壁等の色を、デジタルテレビジョン放送受信装置１００に内蔵したセンサー等で十分に検出することは難しい。そこで、デジタルカメラ又は携帯電話等の撮影機器２００を利用し、デジタルテレビジョン放送受信装置１００の映像と壁等の映像とを含む撮影データを取得し、デジタルテレビジョン放送受信装置１００は、この取得された撮影データを利用し、出力画像を補正する。これにより、比較的安価にして出力画像の補正を実現することができる。
【００５１】
例えば、薄い青色壁の前に、デジタルテレビジョン放送受信装置１００（映像表示器１４）を設置するケースを想定する。このような条件下で、デジタルテレビジョン放送受信装置１００（映像表示器１４）が単一の白色画像を表示すると、人間の目には単一の白色画像が青みがかかって見える。このような条件下で、上記した出力画像補正を適用すると、ＲＧＢに対するガンマ調整を含めたゲイン調整により、青に対するゲインが緑に対するゲイン及び赤に対するゲインよりも低く設定される。これにより、薄い青色壁を背景にしたときに、実際の白を感覚的に正しいと考えられる白に調整することができる。
【００５２】
なお、上記したモジュールとは、ハードウェアで実現するものであっても良いし、ＣＰＵ等を使ってソフトウェアで実現するものであってもよい。
【００５３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５４】
【図１】撮影機器による画面及び周辺の撮影の一例を示す図である。
【図２】視聴環境測定の項目を含むメニュー画面の一例を示す図である。
【図３】撮影機器による撮影画像の一例を示す図である。
【図４】画面位置の指定操作を案内する案内画面の一例を示す図である。
【図５】画面の周辺壁位置の指定操作を案内する案内画面の一例を示す図である。
【図６】本発明の一実施形態に係るデジタルテレビジョン放送受信装置の概略構成を示す図である。
【図７】本発明の一実施形態に係る出力画像補正処理の一例を示すフローチャートである。
【符号の説明】
【００５５】
１…デジタルテレビジョン放送受信装置、１４…映像表示器、１５…スピーカ、１６…操作モジュール、１７…リモートコントローラ、１８…受光モジュール、１９…第１のメモリカード、２０…第２のメモリカード、２１…ＬＡＮ端子、２２…第１のＨＤＭＩ端子、２３…第２のＨＤＭＩ端子、２４…ＵＳＢ端子、２５…ｉ．Link端子、４７…アンテナ、４８…入力端子、４９…チューナ、５０…ＰＳＫ復調モジュール、５１…信号処理モジュール、５２…アンテナ、５３…入力端子、５４…チューナ、５５…ＯＦＤＭ復調モジュール、５６…チューナ、５７…アナログ復調モジュール、５８…グラフィック処理モジュール、５９…音声処理モジュール、６０ａ〜６０ｄ…入力端子、６１…ＯＳＤ信号生成モジュール、６２…映像処理モジュール、６３…出力端子、６４…出力端子、６５…制御モジュール、６６…ＲＯＭ、６７…ＲＡＭ、６８…不揮発性メモリ、６９…カードＩ／Ｆ、７０…カードホルダ、７１…カードＩ／Ｆ、７２…カードホルダ、７３…通信Ｉ／Ｆ、７４…第１のＨＤＭＩＩ／Ｆ、７５…第２のＨＤＭＩ Ｉ／Ｆ、７６…ＵＳＢＩ／Ｆ、７７…ｉ．Link Ｉ／Ｆ、８０…明るさ検出モジュール。
【図１】
2010152173.tif 000003
【図２】
2010152173.tif 000004
【図３】
2010152173.tif 000005
【図４】
2010152173.tif 000006
【図５】
2010152173.tif 000007
【図６】
2010152173.tif 000008
【図７】
2010152173.tif 000009
【手続補正書】
【提出日】平成22年2月8日(2010.2.8)
【手続補正１】
【補正対象書類名】特許請求の範囲
【補正対象項目名】全文
【補正方法】変更
【補正の内容】
【特許請求の範囲】
【請求項１】
画像を表示する表示手段と、
前記表示手段による基準画像の表示を制御する基準画像表示制御手段と、
前記表示手段により表示された基準画像、及び壁画像を含む撮影データを読み取る読取手段と、
前記撮影データから撮影基準画像及び撮影壁画像を検出し、前記基準画像、前記撮影基準画像、及び前記撮影壁画像に基づき、前記表示手段により出力される出力画像を補正する補正手段と、
を備えたことを特徴とする画像表示装置。
【請求項２】
前記基準画像表示制御手段は、前記基準画像として白色基準画像の表示を制御することを特徴とする請求項１に記載の画像表示装置。
【請求項３】
前記補正手段は、前記基準画像の各色成分、前記撮影基準画像の各色成分、及び前記撮影壁画像の各色成分に基づき、前記表示手段により出力される出力画像の各色成分を補正することを特徴とする請求項１に記載の画像表示装置。
【請求項４】
前記補正手段は、前記基準画像と前記撮影基準画像との色差分を算出し、この色差分と前記撮影壁画像とに基づき前記表示手段により出力される出力画像を補正することを特徴とする請求項１に記載の画像表示装置。
【請求項５】
前記補正手段は、前記色差分と前記撮影壁画像とに基づき壁の色を検出し、前記壁の色に基づき前記表示手段により出力される出力画像を補正することを特徴とする請求項４に記載の画像表示装置。
【請求項６】
前記補正手段は、基準画像として指定された位置から前記撮影基準画像を検出し、壁画像として指定された位置から前記撮影壁画像を検出することを特徴とする請求項１に記載の画像表示装置。
【請求項７】
画像補正モードを実行する画像補正モード実行手段を備え、
前記画像補正モードの実行に基づき、前記基準画像表示制御手段は基準画像の表示を制御し、前記読取手段は前記撮影データを読み取り、前記補正手段は出力画像を補正することを特徴とする請求項１に記載の画像表示装置。
【請求項８】
表示部により基準画像を表示し、
前記表示部により表示された基準画像、及び壁画像を含む撮影データを読み取り、
前記撮影データから撮影基準画像及び撮影壁画像を検出し、前記基準画像、前記撮影基準画像、及び前記撮影壁画像に基づき、前記表示部により出力される出力画像を補正する、
ことを特徴とする出力画像補正方法。
【請求項９】
表示手段による基準画像の表示を制御する基準画像表示制御手段と、
前記表示手段により表示された基準画像、及び壁画像を含む撮影データを読み取る読取手段と、
前記撮影データから撮影壁画像を検出し、前記撮影壁画像に基づき、前記表示手段により出力される出力画像を補正する補正手段と、
を備えたことを特徴とする画像表示装置。
【請求項１０】
前記補正手段は、前記撮影データから撮影基準画像を更に検出し、前記撮影基準画像及び前記撮影壁画像に基づき、前記出力画像を補正することを特徴とする請求項９に記載の画像表示装置。
【請求項１１】
前記補正手段は、前記基準画像及び前記撮影壁画像に基づき、前記出力画像を補正することを特徴とする請求項９に記載の画像表示装置。
【手続補正書】
【提出日】平成22年4月16日(2010.4.16)
【手続補正１】
【補正対象書類名】特許請求の範囲
【補正対象項目名】全文
【補正方法】変更
【補正の内容】
【特許請求の範囲】
【請求項１】
画像を表示する表示手段と、
前記表示手段による基準画像の表示を制御する基準画像表示制御手段と、
前記表示手段により表示された基準画像、及び壁画像を含む撮影データを読み取る読取手段と、
前記撮影データから撮影基準画像及び撮影壁画像を検出し、前記基準画像と前記撮影基準画像との色差分を算出し、この色差分と前記撮影壁画像とに基づき、前記表示手段により出力される出力画像を補正する補正手段と、
を備えたことを特徴とする画像表示装置。
【請求項２】
前記基準画像表示制御手段は、前記基準画像として白色基準画像の表示を制御することを特徴とする請求項１に記載の画像表示装置。
【請求項３】
前記補正手段は、前記色差分と前記撮影壁画像とに基づき壁の色を検出し、前記壁の色に基づき前記表示手段により出力される出力画像を補正することを特徴とする請求項１に記載の画像表示装置。
【請求項４】
前記補正手段は、基準画像として指定された位置から前記撮影基準画像を検出し、壁画像として指定された位置から前記撮影壁画像を検出することを特徴とする請求項１に記載の画像表示装置。
【請求項５】
画像補正モードを実行する画像補正モード実行手段を備え、
前記画像補正モードの実行に基づき、前記基準画像表示制御手段は基準画像の表示を制御し、前記読取手段は前記撮影データを読み取り、前記補正手段は出力画像を補正することを特徴とする請求項１に記載の画像表示装置。
【請求項６】
表示部により基準画像を表示し、
前記表示部により表示された基準画像、及び壁画像を含む撮影データを読み取り、
前記撮影データから撮影基準画像及び撮影壁画像を検出し、前記基準画像と前記撮影基準画像との色差分を算出し、この色差分と前記撮影壁画像とに基づき、前記表示部により出力される出力画像を補正する、
ことを特徴とする出力画像補正方法。